(57)【要約】【課題】ＩＣに作り込まれるキャパシタおよび抵抗器を持つＣＲ発振回路において、そのキャパシタンス、抵抗値がともに未知であっても、速やかに目標の発振周波数に調整できるＣＲ発振回路を提供すること。【解決手段】公称抵抗値のみ既知の第１抵抗器３１と第１スイッチ４１との第１直列回路と、公称抵抗値のみ既知の第２抵抗器３２と第２スイッチ４２との第２直列回路とを並列した抵抗回路を構成する。そして、第１抵抗器３１を用いたときの発振周波数ｆ１と第２抵抗器３２を用いたときの発振周波数ｆ２とに基づいて、所要の発振周波数になるように、第１抵抗器３１の抵抗値をトリミングする。【選択図】      図１
2006191262.tif 000002
【特許請求の範囲】
【請求項１】
複数のインバータが従属接続されたインバータ群と、前記インバータ群の内の偶数個のインバータの入出力間に接続されたキャパシタと、前記インバータ群の内の奇数個のインバータの入出力間に接続された抵抗回路を備えるＣＲ発振回路において、
前記抵抗回路は、抵抗値が所定値にトリミングされている第１抵抗器と第１制御信号によってオン状態あるいはオフ状態が制御される第１スイッチとの第１直列回路と、第２抵抗器と第２制御信号によってオン状態あるいはオフ状態が制御される第２スイッチとの第２直列回路とが並列に接続されており、
前記第１スイッチがオン状態で且つ前記第２スイッチがオフ状態で所要の発振周波数の発振出力が出力されることを特徴とする、発振回路。
【請求項２】
前記抵抗回路は、前記第１直列回路と前記第２直列回路との並列接続回路に、第３抵抗器が直列に接続されていることを特徴とする、請求項１に記載の発振回路。
【請求項３】
前記第１抵抗器は、トリミング前の抵抗値が最小値とされていることを特徴とする、請求項２に記載の発振回路。
【請求項４】
前記第１抵抗器の抵抗値は、
前記第１抵抗器の抵抗値のトリミング以前に、前記第１スイッチをオン状態とし且つ前記第２スイッチをオフ状態として測定した第１測定発振周波数と、前記第１スイッチをオフ状態とし且つ前記第２スイッチをオン状態として測定した第２測定発振周波数とを測定し、前記第１測定発振周波数、前記第２測定発振周波数、前記第１抵抗器の公称抵抗値および前記第２抵抗器の公称抵抗値に基づいて決定されるトリミング指令信号にしたがって、トリミングされていることを特徴とする、請求項１乃至３のいずれかに記載の発振回路。
【請求項５】
複数のインバータが従属接続されたインバータ群と、前記インバータ群の内の偶数個のインバータの入出力間に接続されたキャパシタと、前記インバータ群の内の奇数個のインバータの入出力間に接続された抵抗回路を備えるＣＲ発振回路において、
前記抵抗回路は、抵抗値が所定値にトリミングされている第１抵抗器と第１制御信号によってオン状態あるいはオフ状態が制御される第１スイッチとの第１直列回路と、第２抵抗器と断状態にされている可断部材との第２直列回路とが並列に接続されており、
前記第１スイッチがオン状態で所要の発振周波数の発振出力が出力されることを特徴とする、発振回路。
【請求項６】
前記抵抗回路は、前記第１直列回路と前記第２直列回路との並列接続回路に、第３抵抗器が直列に接続されていることを特徴とする、請求項５に記載の発振回路。
【請求項７】
前記第１抵抗器の抵抗値は、
前記可断部材が断にされる以前に、前記第１スイッチをオフ状態とし且つ前記第２スイッチをオン状態として測定した第２測定発振周波数と、前記第１抵抗器の抵抗値のトリミング以前に、前記第１スイッチをオン状態とし且つ前記可断部材を断状態として測定した第１測定発振周波数とを測定し、前記第１測定発振周波数、前記第２測定発振周波数、前記第１抵抗器の公称抵抗値および前記第２抵抗器の公称抵抗値に基づいて決定されるトリミング指令信号にしたがって、トリミングされていることを特徴とする、請求項５または６に記載の発振回路。
【請求項８】
複数のインバータが従属接続されたインバータ群と、前記インバータ群の内の偶数個のインバータの入出力間に接続されたキャパシタと、前記インバータ群の内の奇数個のインバータの入出力間に接続された抵抗回路を備えるＣＲ発振回路において、
前記抵抗回路は、抵抗値が第１所定値にトリミングされている第１抵抗器と第１制御信号によってオン状態あるいはオフ状態が制御される第１スイッチとの第１直列回路と、抵抗値が第２所定値にトリミングされている第２抵抗器と第２制御信号によってオン状態あるいはオフ状態が制御される第２スイッチとの第２直列回路とが並列に接続されており、
前記第１スイッチがオン状態で且つ前記第２スイッチがオフ状態で所要の第１発振周波数の発振出力が出力されるとともに、前記第１スイッチがオフ状態で且つ前記第２スイッチがオン状態で所要の第２発振周波数の発振出力が出力されることを特徴とする、発振回路。
【請求項９】
前記抵抗回路は、前記第１直列回路と前記第２直列回路との並列接続回路に、第３抵抗器が直列に接続されていることを特徴とする、請求項８に記載の発振回路。
【請求項１０】
前記第１抵抗器の抵抗値および前記第１抵抗器の抵抗値は、
前記第１抵抗器及び前記第２抵抗器の各抵抗値のトリミング以前に、前記第１スイッチをオン状態とし且つ前記第２スイッチをオフ状態として測定した第１測定発振周波数と、前記第１スイッチをオフ状態とし且つ前記第２スイッチをオン状態として測定した第２測定発振周波数とを測定し、前記第１測定発振周波数、前記第２測定発振周波数、前記第１抵抗器の公称抵抗値および前記第２抵抗器の公称抵抗値に基づいて決定されるトリミング指令信号にしたがって、それぞれトリミングされていることを特徴とする、請求項８または９に記載の発振回路。
【請求項１１】
請求項１乃至１０のいずれかに記載の発振回路を備え、該発振回路の発振周波数信号を液晶表示装置の駆動信号として用いたことを特徴とする、ＬＣＤドライバ装置。
【発明の詳細な説明】
【技術分野】
【０００１】
本発明は、ＩＣに作り込まれるキャパシタおよび抵抗器を持つＣＲ発振回路、及びその発振回路を備えたＬＣＤ（液晶表示装置）用のドライバ装置に関する。
【背景技術】
【０００２】
従来から、複数段のインバータとキャパシタと抵抗器とを用いたＣＲ発振回路が、それほど高い周波数安定度をあまり要求しない用途に広く使用されている。
【０００３】
このＣＲ発振回路は、水晶振動子を用いた水晶発振回路などと異なり、発振回路の構成要素を全てＩＣ内部に設けられること、その発振回路の構成が簡単であることなどの特長を持っている。
【０００４】
その発振周波数は、キャパシタのキャパシタンス、抵抗器の抵抗値によって決定される。したがって、その発振周波数を所定周波数に設定する場合には、そのキャパシタンスや抵抗値を所定値に調整する必要がある。
【０００５】
その発振周波数の１つの調整方法として、例えば、キャパシタンスを固定値とし、抵抗値を調整する方法がある。この場合には、発振周波数は抵抗値に逆比例する。したがって、抵抗器が抵抗値Ｒ１であるときの測定した測定発振周波数がｆ１であるとき、目標の発振周波数ｆ０を得るように、その抵抗器の抵抗値Ｒ１を、所定値Ｒ０＝Ｒ１×（ｆ１／ｆ２）、に調整することが行われている（特許文献１）。
【特許文献１】特開２００２−１８９４３８号公報
【発明の開示】
【発明が解決しようとする課題】
【０００６】
従来の調整方法により、計算上は、発振周波数を目標値に調整することができる。しかし、この発振回路には、インバータに用いられるトランジスタのオン抵抗や、回路配線の配線抵抗、回路中の寄生容量、構成要素の素子特性のばらつき、等が存在する。したがって、抵抗器の抵抗値Ｒ１が知られていたとしても、従来の調整方法では発振周波数を高い精度で目標周波数に調整することは困難である。
【０００７】
特に、近年において、ＬＣＤドライバのフレーム周波数決定用の発振回路は、ＬＣＤの表現色の増加に伴って、高精度の高周波数発振信号を出力する必要がある。しかしながら、目標周波数が高周波数（例えば、７ＭＨｚ程度）では、それらオン抵抗などの影響が大きくなるから、周波数誤差が大きくなる。また、その抵抗器の抵抗値Ｒ１が不明である場合には、その抵抗値の調整はさらに困難である。
【０００８】
また、抵抗器の抵抗値の調整を、カットアンドトライにより、何回か繰り返して行うことにより、発振周波数を目標値に近づける方法もある。しかし、抵抗器のトリミングと周波数の測定を多数回行うことになるから、発振周波数の調整に手数を要してしまう。
【０００９】
そこで、本発明は、ＩＣに作り込まれるキャパシタおよび抵抗器を持つＣＲ発振回路において、その発振回路のキャパシタンス、抵抗値がともに未知であっても、速やかに目標の発振周波数に調整できるＣＲ発振回路を提供することを目的とする。また、このようなＣＲ発振回路を備えて、液晶表示装置の色表現能力を高めることができるＬＣＤドライバ装置を提供することを目的とする。
【課題を解決するための手段】
【００１０】
請求項１の発振回路は、複数のインバータ１１〜１４が従属接続されたインバータ群と、前記インバータ群の内の偶数個のインバータ１１，１２の入出力間に接続されたキャパシタ２０と、前記インバータ群の内の奇数個のインバータ１１〜１３の入出力間に接続された抵抗回路３０を備えるＣＲ発振回路において、
前記抵抗回路３０は、抵抗値が所定値Ｒ０にトリミングされている第１抵抗器３１と第１制御信号Ｓ１によってオン状態あるいはオフ状態が制御される第１スイッチ４１との第１直列回路と、第２抵抗器３２と第２制御信号Ｓ２によってオン状態あるいはオフ状態が制御される第２スイッチ４２との第２直列回路とが並列に接続されており、
前記第１スイッチ４１がオン状態で且つ前記第２スイッチ４２がオフ状態で所要の発振周波数ｆ０の発振出力が出力されることを特徴とする。
【００１１】
請求項２の発振回路は、請求項１に記載の発振回路において、前記抵抗回路は、前記第１直列回路と前記第２直列回路との並列接続回路に、第３抵抗器３３が直列に接続されていることを特徴とする。
【００１２】
請求項３の発振回路は、請求項２に記載の発振回路において、前記第１抵抗器３１は、トリミング前の抵抗値が最小値とされていることを特徴とする。
【００１３】
請求項４の発振回路は、請求項１乃至３のいずれかに記載の発振回路において、前記第１抵抗器３１の抵抗値は、
前記第１抵抗器３１の抵抗値のトリミング以前に、前記第１スイッチ４１をオン状態とし且つ前記第２スイッチ４２をオフ状態として測定した第１測定発振周波数ｆ１と、前記第１スイッチ４１をオフ状態とし且つ前記第２スイッチ４２をオン状態として測定した第２測定発振周波数ｆ２とを測定し、
前記第１測定発振周波数ｆ１、前記第２測定発振周波数ｆ２、前記第１抵抗器３１の公称抵抗値Ｒ１および前記第２抵抗器３２の公称抵抗値Ｒ２に基づいて決定されるトリミング指令信号Ｓｔｒｉｍにしたがって、トリミングされていることを特徴とする。
【００１４】
請求項５の発振回路は、複数のインバータ１１〜１４が従属接続されたインバータ群と、前記インバータ群の内の偶数個のインバータ１１，１２の入出力間に接続されたキャパシタ２０と、前記インバータ群の内の奇数個のインバータ１１〜１３の入出力間に接続された抵抗回路３０Ｂを備えるＣＲ発振回路において、
前記抵抗回路は、抵抗値が所定値Ｒ０にトリミングされている第１抵抗器３１と第１制御信号Ｓ１によってオン状態あるいはオフ状態が制御される第１スイッチ４１との第１直列回路と、第２抵抗器３２と断状態にされている可断部材４３との第２直列回路とが並列に接続されており、
前記第１スイッチ４１がオン状態で所要の発振周波数ｆ０の発振出力が出力されることを特徴とする。
【００１５】
請求項６の発振回路は、請求項５に記載の発振回路において、前記抵抗回路は、前記第１直列回路と前記第２直列回路との並列接続回路に、第３抵抗器３３が直列に接続されていることを特徴とする。
【００１６】
請求項７の発振回路は、請求項５または６に記載の発振回路において、前記第１抵抗器３１の抵抗値は、
前記可断部材４３が断にされる以前に、前記第１スイッチ４１をオフ状態とし且つ前記第２スイッチ４２をオン状態として測定した第２測定発振周波数ｆ２と、前記第１抵抗器３１の抵抗値のトリミング以前に、前記第１スイッチ４１をオン状態とし且つ前記可断部材４３を断状態として測定した第１測定発振周波数ｆ１とを測定し、
前記第１測定発振周波数ｆ１、前記第２測定発振周波数ｆ２、前記第１抵抗器３１の公称抵抗値Ｒ１および前記第２抵抗器３２の公称抵抗値Ｒ２に基づいて決定されるトリミング指令信号Ｓｔｒｉｍにしたがって、トリミングされていることを特徴とする。
【００１７】
請求項８の発振回路は、複数のインバータ１１〜１４が従属接続されたインバータ群と、前記インバータ群の内の偶数個のインバータ１１，１２の入出力間に接続されたキャパシタ２０と、前記インバータ群の内の奇数個のインバータ１１〜１３の入出力間に接続された抵抗回路３０Ｃを備えるＣＲ発振回路において、
前記抵抗回路は、抵抗値が第１所定値Ｒ０１にトリミングされている第１抵抗器３１と第１制御信号Ｓ１によってオン状態あるいはオフ状態が制御される第１スイッチ４１との第１直列回路と、抵抗値が第２所定値Ｒ０２にトリミングされている第２抵抗器３２と第２制御信号Ｓ２によってオン状態あるいはオフ状態が制御される第２スイッチ４２との第２直列回路とが並列に接続されており、
前記第１スイッチ４１がオン状態で且つ前記第２スイッチ４２がオフ状態で所要の第１発振周波数ｆ０１の発振出力が出力されるとともに、前記第１スイッチ４１がオフ状態で且つ前記第２スイッチ４２がオン状態で所要の第２発振周波数ｆ０２の発振出力が出力されることを特徴とする。
【００１８】
請求項９の発振回路は、請求項８に記載の発振回路において、前記抵抗回路は、前記第１直列回路と前記第２直列回路との並列接続回路に、第３抵抗器が直列に接続されていることを特徴とする。
【００１９】
請求項１０の発振回路は、請求項８または９に記載の発振回路において、前記第１抵抗器３１の抵抗値および前記第１抵抗器３１の抵抗値は、
前記第１抵抗器３１及び前記第２抵抗器３２の各抵抗値のトリミング以前に、前記第１スイッチ４１をオン状態とし且つ前記第２スイッチ４２をオフ状態として測定した第１測定発振周波数ｆ１と、前記第１スイッチ４１をオフ状態とし且つ前記第２スイッチ４２をオン状態として測定した第２測定発振周波数ｆ２とを測定し、
前記第１測定発振周波数ｆ１、前記第２測定発振周波数ｆ２、前記第１抵抗器３１の公称抵抗値Ｒ１および前記第２抵抗器３２の公称抵抗値Ｒ２に基づいて決定されるトリミング指令信号Ｓｔｒｉｍにしたがって、それぞれトリミングされていることを特徴とする。
【００２０】
請求項１１のＬＣＤドライバ装置は、請求項１乃至１０のいずれかに記載の発振回路を備え、該発振回路の発振周波数信号を液晶表示装置の駆動信号として用いたことを特徴とする。
【発明の効果】
【００２１】
本発明によれば、ＩＣに作り込まれたＣＲ発振回路において、公称抵抗値のみ既知の第１抵抗器３１と第１スイッチ４１との第１直列回路と、公称抵抗値のみ既知の第２抵抗器３２と第２スイッチ４２との第２直列回路とを並列した抵抗回路を構成し、第１抵抗器３１を用いたときの発振周波数ｆ１と第２抵抗器３２を用いたときの発振周波数ｆ２とに基づいて、所要の発振周波数になるように、第１抵抗器３１の抵抗値をトリミングしている。したがって、発振周波数に影響を与える、第１、第２抵抗器３１、３２の抵抗値のばらつきや、インバータに用いられるトランジスタのオン抵抗、回路配線の配線抵抗、回路中の寄生容量、構成要素の素子特性のばらつき等の不確定なファクターが存在しても、発振周波数ｆ１、ｆ２の測定に基づく一回のトリミングにより、所要の発振周波数を正確に得ることができる。
【００２２】
また、発振周波数ｆ１、ｆ２の測定に基づいて、第１抵抗器３１の抵抗値および第２抵抗器３２の抵抗値をそれぞれトリミングすることにより、所要の異なる発振周波数ｆ０１、ｆ０２を正確に得ることができる。
【００２３】
また、第１抵抗器３１を含む第１直列回路と第２抵抗器を含む第２直列回路との並列接続回路に、第３抵抗器３３を直列に接続することにより、第３抵抗器の抵抗値を共通に利用して、第１抵抗器、第２抵抗器を小さくする。これにより、ＩＣ中の回路の所要面積を小さくできる。
【００２４】
また、第２スイッチ４２に代えて、可断部材４３を用いることにより、所要の測定の後に、抵抗値のトリミングと同様の手法にて、可断部材を断することができる。
【発明を実施するための最良の形態】
【００２５】
以下、本発明のＣＲ発振回路の実施例について、図を参照して説明する。
【００２６】
図１は、本発明の第１実施例に係るＣＲ発振回路１００の構成を示す図である。なお、図１には、発振回路の発振周波数を調整するための測定演算装置２００、トリミング装置３００も併せて示している。
【００２７】
図１において、発振回路１００は、ＩＣに作り込まれている。初段のインバータ１１から最終段のインバータ１４まで複数段のインバータ１１〜１４が従属接続されて、インバータ群を構成している。このインバータは、Ｐ型ＭＯＳトランジスタとＮ型ＭＯＳトランジスタを用いたＣＭＯＳインバータが好適に用いられる。他のトランジスタ、例えばバイポーラトランジスタを用いたインバータでもよい。
【００２８】
キャパシタ２０が、この例では初段インバータ１１の入力側と第２段インバータ１２の出力側との間に接続されている。このキャパシタ２０は、インバータ群の内の偶数個のインバータの入出力間に接続されていればよい。発振回路１００の発振周波数に寄与する（言い換えれば、影響する）キャパシタンスは、キャパシタ２０のキャパシタンスの外、各インバータの寄生キャパシタンスや、回路配線の浮遊キャパシタンスなども存在する。ここでは、発振に寄与するキャパシタンスを総合して、キャパシタンスＣとして表現する。
【００２９】
この例の発振回路１００では、初段インバータ１１の入力側と第３段インバータ１３の出力側との間に接続されている抵抗回路３０を用いる。この抵抗回路３０は、インバータ群の内の奇数個のインバータの入出力間に接続されていればよい。
【００３０】
この抵抗回路３０は、第１抵抗器３１と第１スイッチ４１との第１直列回路と、第２抵抗器３２と第２スイッチ４２との第２直列回路とが並列に接続されている。第１抵抗器３１及び第２抵抗器３２は、公称抵抗値（即ち、設計抵抗値）Ｒ１、Ｒ２として、ＩＣに作り込まれる。
【００３１】
ＩＣに作り込まれた、第１抵抗器３１の抵抗値及び第２抵抗器３２の抵抗値は、公称抵抗値（設計抵抗値）Ｒ１、Ｒ２から、ある比率ｋでばらつくことが多い。この例では、第１抵抗器３１の抵抗値が、所要の発振周波数ｆ０に適合した所定値にトリミングされている。発振回路１００の使用状態においては、第１スイッチ４１がオン状態で且つ第２スイッチ４２がオフ状態とされ、所要の発振周波数ｆ０の発振出力が出力される。
【００３２】
なお、第２抵抗器３２及び第２スイッチ４２の直列回路は、第１抵抗器３１のトリミングすべき抵抗値を、発振回路の構成要素の各値が未知の状態において求めるために、設けたものである。したがって、第２抵抗器３２の抵抗値はトリミングされていない。
【００３３】
また、第２抵抗器３２は、第１抵抗器３１の抵抗値の例えば３倍ぐらいの値を公称抵抗値としておけば、第１抵抗器３１は抵抗値が大きくなるようにトリミングできるようにしておくだけでよい。
【００３４】
また、第１スイッチ４１と第２スイッチ４２は、スイッチ制御回路５０からの第１制御信号Ｓ１と第２制御信号Ｓ２によって、オン状態あるいはオフ状態に制御される。
【００３５】
図２は、第１スイッチ４１の具体例を示す図であり、第２スイッチ４２も同様のものでよい。図２において、第１スイッチ４１は、例えばＰＭＯＳトランジスタとＮＭＯＳトランジスタとを並列に接続したトランジスタ対４１ａと、その一方のトランジスタのゲートに反転信号を与えるためのインバータ４１ｂとを有し、両方向への電流を支障なく流すように構成されたアナログスイッチである。この第１スイッチは、第１制御信号Ｓ１にしたがって、オン状態あるいはオフ状態にされる。
【００３６】
次に、第１抵抗器３１の抵抗値のトリミングについて説明する。ＩＣに実際に作り込まれた状態での第１抵抗器３１及び第２抵抗器３２の抵抗値は、ＩＣの製造時の条件などによって、通常は、公称抵抗値Ｒ１、Ｒ２とは異なった抵抗値となる。ただ、第１抵抗器３１及び第２抵抗器３２は、同時に同条件で製造されるので、公称抵抗値Ｒ１、Ｒ２からのばらつきは或る比率ｋと考えてよい。また、第１，第２スイッチ４１、４２は、同時に同条件で製造されるので、それらのオン抵抗値は等しいと考えてよい。
【００３７】
また、発振回路１００の発振周波数に寄与する（言い換えれば、影響する）抵抗値は、第１、第２抵抗器の製造時の抵抗値Ｒ１×ｋ、Ｒ２×ｋの外に、各インバータのトランジスタのオン抵抗値や、回路配線の抵抗値、第１，第２スイッチのオン抵抗値など等の付加抵抗値Ｒａが存在する。
【００３８】
まず、発振回路１００からのスイッチ制御信号Ｃｏｎｔによって、第１スイッチ４１をオン状態にし、第２スイッチ４２をオフ状態にして、発振回路１００を発振させる。このときの発振周波数ｆ１は、よく知られているように、式１で表される。この第１測定発振周波数ｆ１を測定演算装置２００にて測定する。
ｆ１≒１／２．２｛Ｃ×（Ｒ１×ｋ＋Ｒａ）｝      ・・・        （１）
【００３９】
同様に、第２スイッチ４２をオン状態にし、第１スイッチ４１をオフ状態にして、発振回路１００を発振させる。このときの発振周波数ｆ２は、式２で表される。この第２測定発振周波数ｆ２を測定演算装置２００にて測定する。
ｆ２≒１／２．２｛Ｃ×（Ｒ２×ｋ＋Ｒａ）｝      ・・・        （２）
【００４０】
これらの発振周波数ｆ１、ｆ２測定時の、キャパシタンス値Ｃ、付加抵抗値Ｒａは未知数であり、また第１抵抗器３１の抵抗値Ｒ１×ｋ、第２抵抗器３２の抵抗値Ｒ２×ｋもそれぞれの公称抵抗値Ｒ１、Ｒ２は既知であるがばらつきｋは未知数である。
【００４１】
目標とする発振周波数ｆ０を得るために必要な、第１抵抗器３１の所定値（公称値）をＲ０とすると、キャパシタＣ、ばらつき比率ｋ、付加抵抗Ｒａは変わらないから、目標とする発振周波数ｆ０は式３で表される。
ｆ０≒１／２．２｛Ｃ×（Ｒ０×ｋ＋Ｒａ）｝      ・・・          （３）
【００４２】
この目標発振周波数ｆ０、第１測定発振周波数ｆ１、第２測定発振周波数ｆ２の式の連立条件から、目標発振周波数ｆ０を出力するための、第１抵抗器３１の抵抗値Ｒ０（公称値）を、式４により求めることができる。
Ｒ０＝［Ｒ１＋｛（ｆ１×Ｒ１）−（ｆ２×Ｒ２）｝／（ｆ２−ｆ１）］×ｆ１／ｆ０
−｛（ｆ１×Ｒ１）−（ｆ２×Ｒ２）｝／（ｆ２−ｆ１）  ・・・  （４）
【００４３】
このように、第１抵抗器３１の抵抗値のトリミング以前に、第１スイッチ４１をオン状態とし且つ第２スイッチ４２をオフ状態として測定した第１測定発振周波数ｆ１と、第１スイッチ４１をオフ状態とし且つ第２スイッチ４２をオン状態として測定した第２測定発振周波数ｆ２とを測定する。そして、第１測定発振周波数ｆ１、第２測定発振周波数ｆ２、第１抵抗器３１の公称抵抗値Ｒ１および第２抵抗器３２の公称抵抗値Ｒ２に基づいて、目標とする発振周波数ｆ０を出力するための第１抵抗器３１の抵抗値Ｒ０を、測定演算装置２００で、演算により求める。
【００４４】
求められた抵抗値Ｒ０になるように、測定演算装置２００からトリミング指令信号Ｓｔｒｉｍがトリミング装置３００に供給される。トリミング装置は、トリミング指令信号Ｓｔｒｉｍに基づいて、第１抵抗器３１の抵抗値を所定値Ｒ０になるようにトリミングする。
【００４５】
本発明によれば、発振周波数に影響を与える第１、第２抵抗器３１、３２の抵抗値のばらつきｋや、インバータに用いられるトランジスタのオン抵抗、回路配線の配線抵抗、回路中の寄生容量、構成要素の素子特性のばらつき等の不確定なファクターが存在しても、第１、第２測定発振周波数ｆ１、ｆ２の測定に基づく一回のトリミングにより、所要の発振周波数ｆ０を正確に得ることができる。
【００４６】
また、そのトリミングに際しても、第１抵抗器３１を、その公称抵抗値Ｒ１に対して所定値Ｒ０に調整すればよく、第１抵抗器３１の実際の抵抗値を測定する必要がない。したがって、測定及びトリミングに要する時間を短くできるし、また、測定演算装置２００、トリミング装置３００も簡易なものでよい。
【００４７】
なお、第１抵抗器３１の抵抗値をトリミングすることとして説明したが、これに代えて第２抵抗器３２の抵抗値をトリミングするようにしてもよい。この場合には、発振回路１００の通常使用時には、第２スイッチ４２をオン状態とし、第１スイッチ４１をオフ状態にすることになる。
【００４８】
また、以上の説明では、第１、第２抵抗器３１、３２の抵抗値は、公称抵抗値Ｒ１、Ｒ２から或る比率ｋのばらつきを持つこととして説明した。しかし、第１、第２抵抗器３１、３２の抵抗値が公称抵抗値Ｒ１、Ｒ２のとおりに得られる場合には、単にばらつき比率ｋ＝１になるから、以上の説明と同様に測定し且つトリミングすることができる。即ち、本発明では、第１、第２抵抗器３１、３２の公称抵抗値Ｒ１、Ｒ２が知られていれば、ばらつき比率ｋを考慮する必要がなく、第１抵抗器３１を、その公称抵抗値Ｒ１、Ｒ２に基づいて所定値Ｒ０に調整すればよい。
【００４９】
図３は、本発明の第２実施例に係るＣＲ発振回路１００Ａの構成を示す図である。この発振回路１００Ａでは、抵抗回路３０Ａの構成が、図１の抵抗回路３０と一部異なっている。図３のその他の点は、図１と同様である。
【００５０】
抵抗回路３０Ａでは、抵抗値が所定値にトリミングされている第１抵抗器３１と第１制御信号Ｓ１によってオン状態あるいはオフ状態が制御される第１スイッチ４１との第１直列回路と、第２抵抗器３２と第２制御信号Ｓ２によってオン状態あるいはオフ状態が制御される第２スイッチ４２との第２直列回路との並列接続回路に、第３抵抗器３３が直列に接続されている。
【００５１】
そして、発振回路１００Ａの使用状態においては、第１スイッチ４１がオン状態で且つ第２スイッチ４２がオフ状態で、所要の発振周波数ｆ０の発振出力が出力される。
【００５２】
この図３の第２実施例では、第１抵抗器３１の公称抵抗値と第３抵抗器３３の公称抵抗値とを併せた公称抵抗値が、図１の公称抵抗値Ｒ１に相当し、第２抵抗器３２の公称抵抗値と第３抵抗器３３の公称抵抗値とを併せた公称抵抗値が、図１の公称抵抗値Ｒ２に相当する。
【００５３】
この図３では、公称抵抗値Ｒ１と公称抵抗値Ｒ２のかなりの部分の抵抗値を、第３抵抗器３３の公称抵抗値に共通に持たせることができるので、第１抵抗器３１と第２抵抗器３２を小さくできる。したがって、ＩＣ中の回路の所要面積を小さくできる。
【００５４】
また、第１抵抗器３１は、トリミング前はその抵抗値を最小値、例えば抵抗値≒零、としておくことがよい。この場合には、第１抵抗器３１のトリミングは、その抵抗値を増加させることとなるように設計しておく。そして、実際の抵抗値のトリミングに際しては、第１抵抗器３１の抵抗値を、零から所定値に増加させる。
【００５５】
なお、この第１抵抗器３１、第２抵抗器３２の他に、第３抵抗器３３を設ける形態は、本発明における他の各実施例においても、同様に行うことができる。
【００５６】
図４は、本発明の第３実施例に係るＣＲ発振回路１００Ｂの構成を示す図である。この発振回路１００Ｂでは、抵抗回路３０Ｂの構成が、図１の抵抗回路３０と一部異なっている。図４のその他の点は、図１と同様である。
【００５７】
抵抗回路３０Ｂでは、抵抗値が所定値Ｒ０にトリミングされている第１抵抗器３１と第１制御信号Ｓ１によってオン状態あるいはオフ状態が制御される第１スイッチ４１との第１直列回路と、第２抵抗器３２と断状態にされている可断部材４３（例、フューズ）との第２直列回路とが並列に接続されている。そして、第１スイッチ４１がオン状態で所要の発振周波数ｆ０の発振出力が出力される。
【００５８】
この図４では、当初の段階では、可断部材４３は、断されていない。第１抵抗器３１の抵抗値を、公称抵抗値Ｒ１から所定値Ｒ０にトリミングするに際し、可断部材４３を断にする以前に、まず、第１スイッチ４１をオフ状態とし且つ第２スイッチ４２をオン状態として第２測定発振周波数ｆ２を測定する。続いて、第１スイッチ４１をオン状態とし、トリミング装置３００からの断信号によって可断部材４３を断状態とする。この状態で、第１測定発振周波数ｆ１を測定する。
【００５９】
そして、第１測定発振周波数ｆ１、第２測定発振周波数ｆ２、第１抵抗器３１の公称抵抗値Ｒ１および第２抵抗器３２の公称抵抗値Ｒ２に基づいて決定されるトリミング指令信号Ｓｔｒｉｍにしたがって、第１抵抗器３１の抵抗値を、所定値Ｒ０にトリミングする。
【００６０】
この図４の第３実施例では、第２直列回路に、第２スイッチ４２に代えて可断部材４３が用いられている。第１スイッチ４１のトリミング精度を高くする観点から、可断部材４３が断されていない状態での抵抗値は、第１スイッチ４１のオン抵抗値とほぼ等しいように設定されていることが、望ましい。
【００６１】
この第３実施例では、第２スイッチ４２に代えて、可断部材を用いるから、所要の測定の後は、第１抵抗器３１の抵抗値のトリミングと同様の手法にて、可断部材を断することができる。
【００６２】
図５は、本発明の第４実施例に係るＣＲ発振回路１００Ｃの構成を示す図である。この発振回路１００Ｃでは、抵抗回路３０Ｃの構成が、図１の抵抗回路３０と一部異なっている。また、抵抗回路３０Ｃの構成が、異なっていることに伴って、所要の第１発振周波数ｆ０１もしくは第２発振周波数ｆ０２の発振出力が出力される。図４のその他の点は、図１と同様である。
【００６３】
ＩＣに作り込まれた第１抵抗器３１の抵抗値が、公称抵抗値Ｒ１から、所要の第１発振周波数ｆ０１に適合した所定値Ｒ０１（公称値）にトリミングされている。また、同じく、第２抵抗器３２の抵抗値が、公称抵抗値Ｒ２から、所要の第２発振周波数ｆ０２に適合した所定値Ｒ０２（公称値）にトリミングされている。
【００６４】
発振回路１００Ｃの使用状態においては、第１発振周波数ｆ０１を出力する時には、第１スイッチ４１がオン状態で且つ第２スイッチ４２がオフ状態とされる。また、第２発振周波数ｆ０２を出力する時には、第１スイッチ４１がオフ状態で且つ第２スイッチ４２がオン状態とされる。
【００６５】
図５の発振回路において、第１抵抗器３１及び第２抵抗器３２の各抵抗値のトリミングに先だって、第１スイッチ４１をオン状態とし且つ第２スイッチ４２をオフ状態として、第１測定発振周波数ｆ１を測定する。次に、第１スイッチ４１をオフ状態とし且つ第２スイッチ４２をオン状態として、第２測定発振周波数ｆ２を測定する。
【００６６】
そして、第１測定発振周波数ｆ１、第２測定発振周波数ｆ２、第１抵抗器３１の公称抵抗値Ｒ１および第２抵抗器３２の公称抵抗値Ｒ２に基づいて、第１発振周波数ｆ０１及び第２発振周波数ｆ０２に対応した各トリミング指令信号Ｓｔｒｉｍを決定する。
【００６７】
その第１発振周波数ｆ０１に対応したトリミング指令信号Ｓｔｒｉｍにしたがって、第１抵抗器３１を所定値Ｒ０１にトリミングし、且つ、第２発振周波数ｆ０２に対応したトリミング指令信号Ｓｔｒｉｍにしたがって、第２抵抗器３２を所定値Ｒ０２にトリミングする。
【００６８】
そして、このように第１抵抗器３１、第２抵抗器３２がトリミングされた発振回路１００Ｃから、第１スイッチ４１もしくは第２スイッチ４２のオン状態に応じて、第１発振周波数ｆ０１もしくは第２発振周波数ｆ０２が出力される。
【００６９】
これによれば、第１抵抗器３１を所定値にトリミングすることによって、所要の第１発振周波数ｆ０１を出力するとともに、第１抵抗器３１を所定値にトリミングするために設けた第２抵抗器３２を他の所定値にトリミングして、所要の第２発振周波数ｆ０２をも出力することができる。
【００７０】
この図５の第４実施例によれば、発振回路１００Ｃの２つの異なる発振周波数を使用する電子装置に、好適に使用することができる。例えば、電子装置に対して、通常動作時の周波数として、第１発振周波数ｆ０１を供給し、待機時の低い周波数として、第２発振周波数ｆ０２を供給する。これにより、待機時の省エネルギーを図ることができる。
【００７１】
また、以上の各実施例の構成と異なる構成のＣＲ発振回路、例えばインバータ１１の入力側とグランドとの間に、キャパシタ２０と同程度のキャパシタンスを持つキャパシタを接続した発振回路でも、発振周波数の係数が変わるだけで、先の計算式（式４など）と同様な計算を行い、所定値Ｒ０を設定することができる。
【図面の簡単な説明】
【００７２】
【図１】本発明の第１実施例に係るＣＲ発振回路１００の構成を示す図
【図２】第１スイッチ４１の具体例を示す図
【図３】本発明の第２実施例に係るＣＲ発振回路１００Ａの構成を示す図
【図４】本発明の第３実施例に係るＣＲ発振回路１００Ｂの構成を示す図
【図５】本発明の第４実施例に係るＣＲ発振回路１００Ｃの構成を示す図
【符号の説明】
【００７３】
１００、１００Ａ〜１００Ｃ  ＣＲ発振回路
１１〜１４  インバータ
２０  キャパシタ
３０、３０Ａ〜３０Ｃ  抵抗回路
３１  第１抵抗器
３２  第２抵抗器
３３  第３抵抗器
４１  第１スイッチ
４２  第２スイッチ
４３  可断部材
５０  スイッチ制御回路
２００  測定演算装置
３００  トリミング装置
【図１】
2006191262.tif 000003
【図２】
2006191262.tif 000004
【図３】
2006191262.tif 000005
【図４】
2006191262.tif 000006
【図５】
2006191262.tif 000007